(57)【要約】      （修正有）【課題】メンテナンスが容易で香りの切り替えが迅速なアロマディフューザーを提供する。【解決手段】アロマディフューザーと専用のボトルアタッチメント３０に関し、ボトルアタッチメント３０は、ボトル２０の口に取り付けるソケット部と、香料を引き上げるためのチューブと、アロマディフューザーのエアー供給口１４に着脱可能な連結カプリング３４と、香料と空気の混合成分を放出する噴霧ノズルとを具える。装置本体側のエアー供給口１４は、ボトルアタッチメント３０の連結カプリング３４と対をなす略水平方向に突出するプラグまたはソケットを具える。【選択図】図３
0003228005.tif 000002
【実用新案登録請求の範囲】
【請求項１】
アロマディフューザーに装着するためのボトルアタッチメントであって、ボトルの口に取り付けるソケット部と、香料を引き上げるためのチューブと、前記アロマディフューザーのエアー供給口に着脱可能な連結カプリングと、香料と空気の混合成分を放出する噴霧ノズルと、を具えることを特徴とするボトルアタッチメント。
【請求項２】
請求項１に記載のボトルアタッチメントにおいて、前記連結カプリングはワンタッチ式の連結カプリングであることを特徴とするボトルアタッチメント。
【請求項３】
請求項１または２のボトルアタッチメントが装着されるアロマディフューザーであって、前記ボトルアタッチメントの連結カプリングと着脱可能なエアー供給口を具えることを特徴とするアロマディフューザー。
【請求項４】
請求項３に記載のアロマディフューザーにおいて、前記エアー供給口は前記ボトルアタッチメントの連結カプリングと対をなす略水平方向に突出するプラグまたはソケットを具え、前記アロマディフューザーがさらに、前記プラグまたはソケットの延在角度を強固に固定する補強機構を具えることを特徴とするアロマディフューザー。
【請求項５】
請求項３または４に記載のアロマディフューザーにおいて、さらに、前記ボトルアタッチメントを取り付けたボトルを装着したときに当該ボトルの底部を支持する弾性マットを具えることを特徴とするアロマディフューザー。
【請求項６】
請求項３乃至５のいずれかに記載のアロマディフューザーにおいて、前記ボトルアタッチメントを取り付けたボトルを装着したときに当該ボトルの少なくとも一部を囲う開閉ドアと、当該開閉ドアをロック可能な施錠機構とを具え、当該施錠機構は任意のコインを用いて施錠・開錠が可能であることを特徴とするアロマディフューザー。
【考案の詳細な説明】
【技術分野】
【０００１】
本考案はアロマディフューザーに関し、特に、装置本体側に香料成分が残らずメンテナンスや香料の切り替えが容易なアロマディフューザーに関する。
【背景技術】
【０００２】
従来から、香料を収容したボトルを装置本体の取付口に取り付け、コンプレッサから送られる空気と香料成分を混合して噴霧ノズルから揮散させるアロマディフューザーが知られている（例えば、特許文献１）。従来のアロマディフューザーは、装置本体に下向きに設けられた取付口に下側から香料ボトルを結合させ、装置内の吹出経路を通して噴霧ノズルから空気と香料の混合成分を揮散させるように構成されている。装置側の取付口は一般に、ボトルキャップ状の雌ねじ構造と、そこから下方に延びる吸い上げチューブとを具える。ボトル内の香料が少なくなったり、別の香りに変えたくなった場合には、装置の取付口からボトルを取り外し、ボトルに香料を再充填するか別の香料が入ったボトルと交換して、再び装置に取り付けることができる。
【先行技術文献】
【特許文献】
【０００３】
【特許文献１】特開２０２０−６２３００号公報
【考案の概要】
【考案が解決しようとする課題】
【０００４】
しかしながら、従来のアロマディフューザーは香料ボトル取付口や吸い上げチューブ、香料と空気の混合成分が通る吹出経路を含む揮散機構が装置本体に組み込まれており、容易に取り外したり交換できるものではなかった。そのため、取付口、噴霧ノズル、これらの間の吹出経路などに香料が付着した場合のメンテナンスが大変であった。また、別の香りのボトルに交換した場合にも暫くは装置に組み込まれた香料成分の経路には前の香料が残っており、すぐには香りが切り替わらないという不都合があった。
【０００５】
解決しようとする問題点は、香料ボトルから噴霧ノズルまでの揮散機構が装置本体に組み込まれているため、メンテナンスに手間がかかり香りの切り替えに時間がかかっていた点である。
【課題を解決するための手段】
【０００６】
本考案の一態様は、アロマディフューザーに装着するためのボトルアタッチメントであって、ボトルの口に取り付けるソケット部と、香料を吸い上げるためのチューブと、前記アロマディフューザーのエアー供給口に着脱可能な連結カプリングと、香料と空気の混合成分を放出する噴霧ノズルと、を具えることを特徴とする。前記連結カプリングは（クイックジョイントやカチットとも呼ばれる）ワンタッチ式の連結カプリングであることが好ましい。
【０００７】
本考案の別の態様は、上記のようなボトルアタッチメントが装着されるアロマディフューザーであって、前記ボトルアタッチメントの連結カプリングと着脱可能なエアー供給口を具えることを特徴とする。
【０００８】
このアロマディフューザーにおいて、前記エアー供給口は前記ボトルアタッチメントの連結カプリングと対をなす略水平方向に突出するプラグまたはソケットを具え、前記アロマディフューザーがさらに、前記プラグまたはソケットの延在角度を強固に固定する補強機構を具えることが好ましい。
【０００９】
さらに、前記ボトルアタッチメントを取り付けたボトルを装着したときに当該ボトルの底部を支持する弾性マットを具えることが望ましい。また、ボトルを装着したときに当該ボトルの少なくとも一部を囲う開閉ドアと、当該開閉ドアをロック可能な施錠機構とを具え、当該施錠機構は任意のコインを用いて施錠・開錠が可能であることが好ましい。
【考案の効果】
【００１０】
本考案によれば、アロマディフューザーにおいて香料から噴霧ノズルまでの揮散機構を香料ボトル側に取り付け、それをアロマディフューザーの装置本体のエアー供給部にワンタッチで着脱できるように構成したため、香りを変更したい場合にボトルアタッチメントごと香料ボトルを本体装置から取り外し、別のアタッチメント付ボトルを取り付ければ、装置内部で香料同士が混ざることがなく、すぐに新しい香りに切り替わる。また、使用中に揮散機構が詰まるようなことがあっても、アロマディフューザー装置本体やボトルからアタッチメントを取り外して清掃、洗浄することが可能であり、メンテナンスが容易という利点がある。
【００１１】
また、ボトルと装置本体を連結する連結カプリングを水平方向に設け、装置本体にその延在方向を固定する補強機構を設けることにより、香料を充填したボトルとアタッチメントの重量によってカプリングが傾いてしまうような不具合を避けることができる。また、ボトル底部を支持する弾性マットを設けることによりアロマディフューザー装置の振動や騒音を低減することができ、コインを用いて施錠・開錠できるようにすると取り扱いの便宜となる。
【図面の簡単な説明】
【００１２】
【図１】図１は、本考案にかかるアロマディフューザーの全体構成を説明するための概略斜視図である。
【図２】図２は、ボトルアタッチメント３０を上側から見た斜視図である。
【図３】図３は、ボトルアタッチメント３０を装着したボトル２０を装置本体１０に取り付ける直前の状態を示す斜視図である。
【図４】図４は、アロマディフューザーの平面図であり、上部カバー１１および開閉ドア１２が閉じられた状態を示す。
【考案を実施するための形態】
【００１３】
本考案の実施の形態について、添付の図面を参照しながら以下に詳細に説明する。図１は、本考案にかかるアロマディフューザーの全体構成を説明するための概略斜視図であり、アロマディフューザー１の上部カバー１１や開閉ドア１２が開いた状態を示す。図１に示すように、アロマディフューザー１は、装置本体１０と、香料を収容するボトル２０と、ボトルの上部開口部に取り付けられたボトルアタッチメント３０とを具える。装置本体１０は、蝶番で開閉可能な上部カバー１１と、同じく蝶番式の開閉ドア１２と、開閉ドア１２用の施錠機構１３と、開閉ドア１１で囲まれる空間内の上部に水平方向に突出するエアー供給口１４と、当該エアー供給口１４の延在角度を支持固定する補強機構１５と、操作パネル１６と、特定サイズの香料ボトル２０の底部を支持する弾性マット１７とを具える。このアロマディフューザー１は、上部カバー１１と開閉ドア１２を閉めると角の丸まった筐体となり、底部の四隅には弾性体または硬質の脚１８が取り付けられている。
【００１４】
図２は、ボトルアタッチメント３０を上側から見た斜視図である。本図に示すように、ボトルアタッチメント３０は、ボトル２０の口に取り付けるソケット部３１と、香料を引き上げるためのチューブ３２と、アロマディフューザー装置本体１０のエアー供給口１４に着脱可能な連結カプリング３４と、香料と空気の混合成分を放出する噴霧ノズル３５とを具える。本実施形態のボトル２０は、香料を劣化させないように遮光性ガラスでなる５００ｍｌ容量のグラスボトルである。ただし、ソケット部３１と係合するボトル口が同規格であれば、実施環境や必要に応じて１００ｍｌ、２５０ｍｌ等のボトルを用いることができる。連結カプリング３４は（クイックジョイントやカチットとも呼ばれる）ワンタッチ式の連結カプリングであることが好ましいが、着脱可能であり流体シール接続の目的を果たす限り他の態様の連結具であってもよい。このボトルアタッチメント３０は、エアー供給口１４からエアーの供給を受けると、その一部がボトル２０内へと送られてチューブ３２から香料が少しずつ押し上げられ、アタッチメント内でエアーと香料が混合されて上の噴霧ノズル３５から揮散される。
【００１５】
図３は、ボトルアタッチメント３０を装着したボトル２０を装置本体１０に取り付ける直前の状態を示す斜視図である。本図に示すように、装置本体１０の開閉ドア１２の内側空間の上部に、水平方向にエアー供給口１４が突出している。エアー供給口１４は、特に補強機構１５によって補強されている。本実施形態の補強機構１５は、エアー供給口１４が通る穴を設けた金属板をコの字型に屈曲させて装置本体１０に取り付けてなり、装置本体１０から突出するエアー供給口１４をその中間部でさらにナットで固定支持するように構成されている。これにより例えば２５０ｍｌや１００ｍｌの小さなボトルを用いたときでもボトルを宙に浮かせた状態で確実に固定支持できるとともに、装置作動時の微細な振動によってエアー供給口１４の根元の固定が緩んだりすることが防止される。補強機構１５の構成は本実施例に限るものではなく、例えば装置本体１０のボトル側の壁材を厚く構成したり、２以上のナットを用いてエアー供給口１４を強固に装置本体１０に固定してもよい。
【００１６】
エアー供給口１４はボトルアタッチメント３０の連結カプリングと対をなすカプリング部材であり、本図に示す実施形態ではエアー供給口１４がプラグで、ボトルアタッチメント３０側がソケットであるカプリング部材が用いられている。ボトルアタッチメント３０の取付時にはエアー供給口１４に連結カプリング３４をあてがって押し込むと、クリック音が鳴って液密状態が達成される。ボトル脱着時には、ボトルアタッチメント３０側のスリーブ３４ａをスライドさせるとロックが解放されて連結を切り離すことができる。このようなプラグ・ソケット式のワンタッチ式カプリング部材は、一般にクイックジョイントやカチットとも呼ばれ、公知技術であるためこれ以上の詳細な構成や動作の説明は省略する。
【００１７】
さらに図３を参照すると、開閉ドア１２の内側空間の底部に、ボトル２０を支持するための弾性マット１７が配置されている。この弾性マット１７は例えばウレタン発泡材料でなり、数ミリの厚さを有する。ここで、本実施形態のアロマディフューザー１は、５００ｍｌのボトル２０をボトルアタッチメント３０に取り付けて装置本体１０に装着したときに、頂部の噴霧ノズル３５が装置本体１０の上面とほぼ同一平面上に位置するとともに、ボトル２０の底部がちょうど弾性マット１７の上に載るように寸法構成されている。ただし、本考案のアロマディフューザーはこの実施例に限るものではなく、他の容量のボトルに合わせて寸法形成されてもよいし、例えば弾性マット１７を敷いた底面の高さを変更可能として複数の容量のボトルの底を支持できるようにしてもよい。弾性マット１７により装置作動時に装置本体１０とボトル２０が接触する振動音がなくなるとともに、ボトル２０の配置を安定させることができる。
【００１８】
図３に示すように、本実施形態の開閉ドア１２の施錠機構１３は任意のコインを用いて開閉可能である。これはアロマディフューザー１の使用環境やユーザのニーズを勘案して採用するものであるが、別の実施例では特定のカギでしか開けられない（キー入力等による電子錠含む）ようにしたり、施錠機構１３を有さずに開閉ドア１２を開閉自在に構成したりしてもよい。
【００１９】
図４は、本実施形態のアロマディフューザーの平面図であり、上部カバー１１および開閉ドア１２が閉じられた状態を示す。上部カバー１１は、ボトルアタッチメント３０を装着したときの噴霧ノズル３５と、操作パネル１６に対応する箇所が切り抜かれており、上部カバー１１を閉じたときにもこれらの噴霧ノズル３５と操作パネル１６が露出するようになっている。上部カバー１１は閉じた状態で開閉ドア１２と係合するように構成され（図１参照）、開閉ドア１２とともに施錠される。操作パネル１６は、例えば電源ボタン、タイマーボタン（１時間、４時間、１２時間、２４時間など）、および動作モードボタン（例えば、連続運転、複数種類の間欠運転など）を有し、装置の制御はユーザの入力設定によりマイクロプロセッサで制御される。作動時には内蔵されたダイヤフラムポンプ（図示せず）によりエアー供給口１４を介して設定されたモードでボトルアタッチメント３０ないしボトル２０に空気が供給され、噴霧ノズル３５から香料成分が揮散される。アロマディフューザーの動作原理や動作モードは周知であるため、その詳細な説明は本書では省略する。
【００２０】
上記説明したように、本考案にかかるアロマディフューザーは、香料から噴霧ノズルまでの揮散機構をボトルアタッチメント３０側に集約し、それをアロマディフューザーの装置本体１０のエアー供給口１４にワンタッチで着脱できるように構成したため、香りを変更したい場合にはボトルアタッチメント３０ごと香料ボトル２０を本体装置１０から取り外し、別のボトルアタッチメント付香料ボトルを取り付ければ、装置内部で香料同士が混ざることがなく、すぐに新しい香りに切り替えることができる。また、使用中に揮散機構が詰まるようなことがあっても、アロマディフューザー装置本体１０やボトル２０からアタッチメント３０を取り外して清掃、洗浄することが可能であり、メンテナンスが容易になる。
【産業上の利用可能性】
【００２１】
本考案のアロマディフューザーは、公共施設や商業施設などに設置される業務用のアロマディフューザーから、一般家庭で用いられる個人向けのアロマディフューザーまで好適に用いることができる。
【符号の説明】
【００２２】
１    アロマディフューザー
１０  装置本体
１１  上部カバー
１２  開閉ドア
１３  施錠機構
１４  エアー供給口
１５  補強機構
１６  操作パネル
１７  弾性マット
１８  脚
２０  香料ボトル
３０  ボトルアタッチメント
３１  ソケット部
３２  チューブ
３４  連結カプリング
３５  噴霧ノズル
【図１】
0003228005.tif 000003
【図２】
0003228005.tif 000004
【図３】
0003228005.tif 000005
【図４】
0003228005.tif 000006